(57)【要約】【課題】ファイルを上書きすべきか否かが一見して判断しやすい、ファイル転送の操作性の向上がなされたファイル転送プログラムを提供する。【解決手段】一のフォルダに記録されたファイルを１つ以上選択し、他のフォルダへの保存処理が指示されると、選択されたファイルにファイル名を付して他のフォルダに記録する機能をコンピュータに実現させるファイル転送プログラム。他のフォルダ内のファイルのファイル名と選択されたファイルに付されたファイル名とを比較する機能と、他のフォルダ内に、選択されたファイルに付されたファイル名と同一名のファイルがある場合には、選択されたファイルのサムネイル画像及びファイル情報と、他の記録媒体内の同一名のファイルのサムネイル画像及びファイル情報とを、表示装置の画面にともに並べて表示させる機能と、をコンピュータに実現させる。【選択図】          図５
2004192510.tif 000002
【特許請求の範囲】
【請求項１】
一のフォルダに記録されたファイルを１つ以上選択し、他のフォルダへの保存処理が指示されると、前記選択されたファイルにファイル名を付して前記他のフォルダに記録する機能をコンピュータに実現させるファイル転送プログラムであって、
前記他のフォルダ内のファイルのファイル名と前記選択されたファイルに付されたファイル名とを比較する機能と、
前記他のフォルダ内に、前記選択されたファイルに付されたファイル名と同一名のファイルがある場合には、前記選択されたファイルのサムネイル画像及びファイル情報と、前記他のフォルダ内の同一名のファイルのサムネイル画像及びファイル情報とを、表示装置の画面にともに並べて表示させる機能と、
をコンピュータに実現させることを特徴とするファイル転送プログラム。
【請求項２】
前記選択されたファイル及び前記他のフォルダ内の同一名のファイルのうち、少なくとも１つが動画のファイルであった場合に、前記表示装置のサムネイル画像には動画の先頭フレームを表示させる機能と、
前記サムネイル画像を操作することにより動画の再生を実行させる機能と、
をコンピュータに実現させる請求項１に記載のファイル転送プログラム。
【請求項３】
一のフォルダに記録された音声ファイルを１つ以上選択し、他のフォルダへの保存処理が指示されると、前記選択されたファイルにファイル名を付して前記他のフォルダに記録する機能をコンピュータに実現させるファイル転送プログラムであって、
前記選択されたファイル及び前記他のフォルダ内のファイルのうちの音声ファイルに対して、これらが音声ファイルである旨のアイコン画像を表示装置の画面に表示させる機能と、
前記アイコン画像を操作することにより音声の再生を実行させる機能と、
をコンピュータに実現させることを特徴とするファイル転送プログラム。
【発明の詳細な説明】
【０００１】
【発明の属する技術分野】
本発明はファイル転送プログラムに係り、特に、マルチメディアファイルをパソコンで扱う処理に際し、ファイル転送の操作性の向上がなされたファイル転送プログラムに関する。
【０００２】
【従来の技術】
マルチメディアファイルをパソコンで扱う処理に際し、あるフォルダに記録されたファイルを選択し、他のフォルダへの保存処理が指示されると、この選択されたファイルにファイル名を付して他のフォルダに記録することは一般的に行われている。
【０００３】
また、デジタルカメラの普及によって、ユーザが手軽にデジタル画像データを作成できるようになった。このデジタルカメラで撮影した画像データは、パソコンのハードディスクなどの大容量記憶装置にコピーして蓄積、保存することが一般に行われている。このような場合にも、画像データのファイルを転送する操作が必要となる。この種の技術に関しては、各種の提案がなされている（たとえば、特許文献１参照）。
【０００４】
【特許文献１】
特開平１１−２３４６１５号公報
【０００５】
【発明が解決しようとする課題】
しかしながら、上記従来のファイル転送方法においては、ファイルを上書きする等の際に以下に説明するような不具合を生じ易い。すなわち、一のフォルダに記録されたファイルを選択し、他のフォルダへ保存する際に、この選択されたファイルにファイル名を付して記録するのが一般的であるが、他のフォルダ内に同一名のファイルがあった場合、両者を並存させるべきか、ファイルを上書きすべきか、又は、保存を中止すべきかの判断に迷うことが多い。
【０００６】
この際、他のフォルダ内の同一名のファイルが保存しようとするファイルと別内容のものであった場合には、保存しようとするファイルのファイル名を異なったものとすべきである。一方、他のフォルダ内の同一名のファイルが保存しようとするファイルの古い内容のもの（旧バージョン）等であった場合には、ファイルを上書きすべきである。
【０００７】
ところが、ファイル転送の際の表示画面では、個々のファイル内容が一見して理解できないのが一般的である。
【０００８】
このような問題に対処すべく、ファイル転送の際にファイル固有のコードを頼りにファイルの同一性を判断し、転送するか又はスキップするかを決定するシステムの提案がなされている（特許文献１参照）。しかし、固有のコードを持つファイルというのは特別なフォーマットのファイルであり、一般のファイルには固有のコードが付されないため、この発明の用途は限定的である。
【０００９】
本発明は、このような事情に鑑みてなされたもので、マルチメディアファイルをパソコン等で扱う処理に際し、ファイルを上書きすべきか否かが一見して判断しやすい、ファイル転送の操作性の向上がなされたファイル転送プログラムを提供することを目的としている。
【００１０】
【課題を解決するための手段】
前記目的を達成するために、本発明は、一のフォルダに記録されたファイルを１つ以上選択し、他のフォルダへの保存処理が指示されると、前記選択されたファイルにファイル名を付して前記他のフォルダに記録する機能をコンピュータに実現させるファイル転送プログラムであって、前記他のフォルダ内のファイルのファイル名と前記選択されたファイルに付されたファイル名とを比較する機能と、前記他のフォルダ内に、前記選択されたファイルに付されたファイル名と同一名のファイルがある場合には、前記選択されたファイルのサムネイル画像及びファイル情報と、前記他のフォルダ内の同一名のファイルのサムネイル画像及びファイル情報とを、表示装置の画面にともに並べて表示させる機能と、をコンピュータに実現させることを特徴とするファイル転送プログラムを提供する。
【００１１】
本発明によれば、他のフォルダ内に、選択されたファイルに付されたファイル名と同一名のファイルがある場合には、選択されたファイルのサムネイル画像及びファイル情報と、他のフォルダ内の同一名のファイルのサムネイル画像及びファイル情報とを、表示装置の画面にともに並べて表示させる。そして、ファイルを上書きするか否かの判断を促す。
【００１２】
この際に、たとえば、静止画像のファイルであれば、サムネイル画像にフォルダ内の静止画像が縮小して表示される。したがって、両者のサムネイル画像を比較することにより、ファイルを上書きすべきか否かが一見して判断でき、ファイル転送の操作性が向上する。
【００１３】
ここで、「ファイルに付されるファイル名」とは、拡張子付きの名称（たとえば、「DSCF0001.JPG」等）を意味するものである。
【００１４】
本発明において、前記選択されたファイル及び前記他のフォルダ内の同一名のファイルのうち、少なくとも１つが動画のファイルであった場合に、前記表示装置のサムネイル画像には動画の先頭フレームを表示させる機能と、前記サムネイル画像を操作することにより動画の再生を実行させる機能と、をコンピュータに実現させることが好ましい。
【００１５】
２以上のファイルのサムネイル画像及びファイル情報をともに並べて表示させる際に、動画の先頭フレームが表示されれば、ファイルの内容が一見して判断でき、ファイル転送の操作性が向上するからである。更に、サムネイル画像を操作（たとえば、クリック操作）することにより、動画の再生が実行されれば、ファイルの内容がより一層明確になり、ファイル転送の操作性が向上するからである。
【００１６】
また、本発明は、一のフォルダに記録された音声ファイルを１つ以上選択し、他のフォルダへの保存処理が指示されると、前記選択されたファイルにファイル名を付して前記他のフォルダに記録する機能をコンピュータに実現させるファイル転送プログラムであって、前記選択されたファイル及び前記他のフォルダ内のファイルのうちの音声ファイルに対して、これらが音声ファイルである旨のアイコン画像を表示装置の画面に表示させる機能と、前記アイコン画像を操作することにより音声の再生を実行させる機能と、をコンピュータに実現させることを特徴とするファイル転送プログラムを提供する。
【００１７】
本発明によれば、視覚で内容の判断ができにくい音声ファイルであっても、音声ファイルである旨のアイコン画像が表示される。そして、アイコン画像を操作（たとえば、クリック操作）することにより、音声の再生が実行される。これにより、ファイルを上書きすべきか否かが容易に判断でき、ファイル転送の操作性が向上する。
【００１８】
【発明の実施の形態】
以下添付図面に従って本発明に係るファイル転送プログラムの好ましい実施の形態について詳説する。図１は本発明に係るファイル転送プログラムを有するパーソナル・コンピュータ（以下、「パソコン」という）のハードウェア構成例を示すブロック図である。
【００１９】
図１に示されるようにパソコンは、主として各構成要素の動作を制御する中央処理装置（ＣＰＵ）１０と、装置の制御プログラムが格納されたり、プログラム実行時の作業領域となる主メモリ１２と、パソコンのオペレーティングシステム（ＯＳ）、本発明に係るアルバム作成プログラム、各種のアプリケーションソフト、ユーザの画像等が格納されるハードディスク装置１４、ＣＤ−ＲＯＭからの読み込みやＣＤ−Ｒへの読み書きが可能なＣＤ−Ｒ／ＲＷ装置１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、上記各構成要素を接続するバス２８とから構成される。
【００２０】
なお、上記構成のパソコンは、ハードディスク装置１４に格納されるファイル転送プログラムを除いて周知のものであるため、各構成要素の詳細な説明については省略する。
【００２１】
次に、本発明に係るファイル転送プログラムの概略について説明する。このファイル転送プログラムは、ユーザがハードディスク装置１４上の下位層に画像ファイル等が格納されているフォルダを指定すると、そのフォルダ以下の階層すべてをＣＤ−Ｒ等への記録に適したＣＤアルバム形式等の各種形式にアレンジし、これをハードディスク装置１４の他の領域及び／又はＣＤ−Ｒに書き込むようにパソコンを動作させるものである。以下の例は、デジタルカメラの記録媒体に記録されたＮ個のファイルをパソコンのハードディスク装置１４に転送する場合について説明される。
【００２２】
本発明に係るファイル転送プログラムの概略フローについて、図２に示されるフローチャートに従って説明する。パソコンを立ち上げ、ビュアーソフトを起動すると、ハードディスク装置１４内のあるフォルダが指定され（この場合は、100 ＿FUJI）、そのフォルダに格納されている画像ファイルの画像の一覧がモニタ装置２０の画面に表示される。図３は、この状態を示しており、DSCF0001.JPG、DSCF0002.JPGのように２個の静止画ファイルと、DSCF0003.AVIのように１個の動画ファイルがサムネイル表示されている（以上、「開始」状態のステップＳ０）。
【００２３】
次に、図３に示される画面において、転送すべきファイルを選択する（ステップＳ２）。この操作は、通常の場合、マウス操作でポインタを選択すべきファイルのサムネイル画像に重ねてマウスを右クリックする。
【００２４】
通常のビュアーソフトでは、これによりホップアップメニュー画面（図示略）が表示される。このホップアップメニュー画面において、転送コマンドを選択してクリックする（ステップＳ４）。これにより、モニタ装置２０の画面に図４に示されるような転送先指定用のウィンド画面が表示され、転送先フォルダの選択が促される（ステップＳ６）。これに従って、転送先フォルダを選択する。この操作は、通常の場合、マウス操作でポインタにより選択すべきファイルを指定するとともに、「コピー」スイッチをクリックする。
【００２５】
その後、プログラム内のカウンタがＮ＝１とされ（ステップＳ８）、次いで、転送先のフォルダ内に転送すべきＮ番目（この場合、１番目）のファイルと同名のファイルがあるか否かが判断される（ステップＳ１０）。Ｎ番目のファイルと同名のファイルがない（Ｎｏ）場合には、Ｎ番目のファイルを転送し（ステップＳ１２）、ステップＳ２０に移る。
【００２６】
一方、ステップＳ１０において、Ｎ番目のファイルと同名のファイルがある（Ｙｅｓ）場合には、転送元のファイル及び転送先の同名のファイルを表示装置の画面にともに並べてサムネイル表示させる（ステップＳ１４）。図５は、この状態の画面を示すものであり、転送先のフォルダ内にＮ番目のファイルと同名のファイルがある旨、及び、上書きするか否かの表示もなされている。また、それぞれのサムネイル画像の脇にファイル情報も併せて表示されている。
【００２７】
図５は、転送元のファイル及び転送先の同名のファイルのいずれもが静止画のファイルである例が示されているが、いずれか又は双方が動画のファイルである場合には、この動画のファイルのサムネイル画像には動画の先頭フレームが表示される。更に、サムネイル画像を操作（たとえば、クリック操作）することにより、動画の再生が実行される。このような構成により、ファイルの内容が一見して判断できる。このように、サムネイル画像の操作により、動画の再生が実行されれば、ファイルの内容がより一層明確になる。
【００２８】
また、図５において、いずれか又は双方が音声ファイルである場合には、表示画面には、図６に示されるような音声ファイルである旨のアイコン画像が表示される。更に、アイコン画像を操作（たとえば、クリック操作）することにより、音声の再生が実行される。このような構成により、視覚で内容の判断が出来にくい音声ファイルであっても、音声ファイルである旨が明瞭になる。そして、アイコン画像の操作により、音声の再生が実行されれば、ファイルの内容がより一層明確になる。
【００２９】
なお、図６に示されるアイコン画像は、マイクロフォンの外形を示したものであるが、これ以外のいずれの形状のものでも採用できる。
【００３０】
以上のステップＳ１４において、得られた各情報を元に、ファイルを上書きするか否かの判断が促される（ステップＳ１６）。ファイルの上書きが不要（Ｎｏ）な場合には、ステップＳ２０に移る。
【００３１】
一方、ファイルの上書きが必要（Ｙｅｓ）な場合には、転送先の同名のファイルを転送元のファイルで上書きする（ステップＳ１８）。
【００３２】
次のステップであるステップＳ２０において、ステップＳ１２、ステップＳ１６及びステップＳ１８からの流れが合流する。このステップＳ２０において、転送すべきＮ個の全てのファイルの転送が終了したか否かが判断される。全てのファイルの転送が終了した（Ｙｅｓ）場合には、プログラムが終了される（ステップＳ９９９）。
【００３３】
一方、全てのファイルの転送が終了していない（Ｎｏ）場合には、プログラム内のカウンタがインクリメント、すなわちＮ＝Ｎ＋１とされ（ステップＳ２２）、ステップＳ１０に戻る。そして、同一のループが繰り返され、ステップＳ２０において、転送すべきＮ個の全てのファイルの転送が終了した（Ｙｅｓ）後、プログラムが終了される（ステップＳ９９９）。
【００３４】
以上、本発明に係るファイル転送プログラムの実施形態の例について説明したが、本発明は上記実施形態の例に限定されるものではなく、各種の態様が採り得る。
【００３５】
たとえば、本実施形態の例では、ハードウェア構成例としてパソコンが採用されているが、これ以外のもの、たとえば、デジタルカメラであっても同様に適用できる。
【００３６】
また、表示画面、サムネイル画像等の例についても、本実施形態のものは一例であり、これ以外の態様のものも各種採用できる。
【００３７】
【発明の効果】
以上説明したように、本発明の請求項１によれば、他のフォルダ内に、選択されたファイルに付されたファイル名と同一名のファイルがある場合には、選択されたファイルのサムネイル画像及びファイル情報と、他のフォルダ内の同一名のファイルのサムネイル画像及びファイル情報とを、表示装置の画面にともに並べて表示させる。そして、ファイルを上書きするか否かの判断を促す。
【００３８】
この際に、たとえば、静止画像のファイルであれば、サムネイル画像にフォルダ内の静止画像が縮小して表示される。したがって、両者のサムネイル画像を比較することにより、ファイルを上書きすべきか否かが一見して判断でき、ファイル転送の操作性が向上する。
【００３９】
本発明の請求項３によれば、視覚で内容の判断が出来にくい音声ファイルであっても、音声ファイルである旨のアイコン画像が表示される。そして、アイコン画像を操作（たとえば、クリック操作）することにより、音声の再生が実行される。これにより、ファイルを上書きすべきか否かが容易に判断でき、ファイル転送の操作性が向上する。
【図面の簡単な説明】
【図１】本発明に係るファイル転送プログラムを有するパソコンのハードウェア構成例を示すブロック図
【図２】本発明に係るファイル転送プログラムのフローチャート
【図３】画像ファイルの画像の一覧がモニタ装置の画面に表示された状態を示す図
【図４】転送先指定用のウィンド画面が表示された状態を示す図
【図５】転送元のファイル及び転送先の同名のファイルが表示装置の画面に並べてサムネイル表示された状態を示す図
【図６】音声ファイルである旨のアイコン画像の例を示す図
【符号の説明】
１０…中央処理装置（ＣＰＵ）、１２…主メモリ、１４…ハードディスク装置、１６…ＣＤ−Ｒ／ＲＷ装置、２０…モニタ装置、２２…キーボード、２４…マウス
【図１】
2004192510.tif 000003
【図２】
2004192510.tif 000004
【図３】
2004192510.tif 000005
【図４】
2004192510.tif 000006
【図５】
2004192510.tif 000007
【図６】
2004192510.tif 000008